(57)【要約】【課題】選択された二つのBandにおけるキャリアアグリゲーションを行うチューナブルダイプレクサ、及び移動通信端末を提供する。【解決手段】共通端子１、第１の入出力端子２、第２の入出力端子３、可変容量を有し共通端子１と第１の入出力端子２の間に接続された周波数特性が可変なＨＰＦ、可変容量を有し共通端子１と第２の入出力端子３の間に接続された周波数特性が可変なＬＰＦを備える。ＨＰＦはＬＰＦよりも遮断周波数が高く、ＨＰＦ、ＬＰＦとも選択された二つのバンドのいずれか一方の周波数帯域に応じた周波数特性となるよう、可変容量の容量値が制御される。【選択図】図１
2014225794.tif 000002
【特許請求の範囲】
【請求項１】
複数のバンドを同時に使用して通信を行う移動通信端末で用いる前記複数のバンドにおける信号を分離するためのチューナブルダイプレクサであって、
前記信号を送受信するためのアンテナが接続される共通端子と、
前記複数のバンドから選択された第１のバンドの前記信号を入出力するための第１の入出力端子と、
前記複数のバンドのうち前記第１のバンドよりも低い周波数帯域から選択された第２のバンドの前記信号を入出力するための第２の入出力端子と、
前記共通端子と前記第１の入出力端子を仲介し、選択されたバンドに応じて周波数特性を変化するよう制御される高域通過フィルタと、
前記共通端子と前記第２の入出力端子を仲介し、選択されたバンドに応じて周波数特性を変化するよう制御される低域通過フィルタと
を有することを特徴とするチューナブルダイプレクサ。
【請求項２】
請求項１に記載のチューナブルダイプレクサにおいて、前記高域通過フィルタ及び低域通過フィルタの通過帯域における損失が１．５ｄＢ以内であることを特徴とするチューナブルダイプレクサ。
【請求項３】
請求項１に記載のチューナブルダイプレクサにおいて、
前記高域通過フィルタは、前記第１の入出力端子から前記共通端子に向かって、第１のインダクタと第１の可変容量とが並列接続された第１の並列接続回路、第２の可変容量、第２のインダクタを順に直列接続して備え、
前記低域通過フィルタは、第２の入出力端子から前記共通端子に向かって、第３のインダクタと第３の可変容量とが並列接続された第２の並列接続回路、第４の可変容量を順に直列接続して備え、
前記第１乃至第４の可変容量の容量値を変化させて周波数特性を変化するよう制御されることを特徴とするチューナブルダイプレクサ。
【請求項４】
請求項３に記載のチューナブルダイプレクサにおいて、前記第１及び第３のインダクタの定数の範囲が１ｎＨ以上２ｎＨ以下であり、前記第１乃至第４の可変容量の容量値が１ｐＦ以上４０ｐＦ以下であることを特徴とするチューナブルダイプレクサ。
【請求項５】
請求項４に記載のチューナブルダイプレクサにおいて、前記第２のインダクタのインダクタンス値が２ｎＨ以上８ｎＨ以下であることを特徴とするチューナブルダイプレクサ。
【請求項６】
複数のバンドを同時に使用して通信を行う移動通信端末であって、
請求項１に記載のチューナブルダイプレクサと、
当該のチューナブルダイプレクサの共通端子に接続されたアンテナと、
前記チューナブルダイプレクサの第１の入出力端子と接続された共通端子を第１の接点又は第２の接点のいずれかを選択して接続する第１のスイッチと、
前記チューナブルダイプレクサの第２の入出力端子と接続された共通端子を第３の接点又は第４の接点のいずれかを選択して接続する第２のスイッチと、
前記第１乃至第４の接点に各々接続され送信信号と受信信号を分離するための第１乃至第４のデュプレクサと、
前記チューナブルダイプレクサの周波数特性を制御し、当該の周波数特性と前記第１乃至第４のデュプレクサの周波数特性に応じて前記第１のスイッチの接続と前記第２のスイッチの接続を制御する制御部と
を有することを特徴とするチューナブルダイプレクサを用いた移動通信端末。
【請求項７】
複数のバンドを同時に使用して通信を行う移動通信端末であって、
請求項１に記載のチューナブルダイプレクサと、
当該のチューナブルダイプレクサの共通端子に接続されたアンテナと、
前記チューナブルダイプレクサの第１の入出力端子と接続された第１の共通端子を第１の接点又は第２の接点のいずれかを選択して接続し、前記チューナブルダイプレクサの第２の入出力端子と接続された第２の共通端子を前記第２の接点又は第３の接点のいずれかを選択して接続するスイッチと、
前記第１乃至第３の接点に各々接続され送信信号と受信信号を分離するための第１乃至第３のデュプレクサと、
前記チューナブルダイプレクサの周波数特性を制御し、当該の周波数特性と前記第１乃至第３のデュプレクサの周波数特性に応じて前記スイッチの接続を制御する制御部と
を有することを特徴とするチューナブルダイプレクサを用いた移動通信端末。
【発明の詳細な説明】
【技術分野】
【０００１】
本発明は、移動通信端末用のチューナブルダイプレクサ、及び当該のチューナブルダイプレクサを用いた移動通信端末に関する。
【背景技術】
【０００２】
特許文献１は、移動通信端末用のダイプレクサに関する先行技術文献である。
特許文献１の要約によれば、課題は「高域の周波数帯の信号が広域に渡って減衰することなく通過することができるダイプレクサおよびそれを用いた高周波スイッチを提供すること。」と記載され、解決手段は「ダイプレクサを構成する低域通過フィルタＬＰＦ８２に第１のコンデンサＣ１と第１のインダクタＬ１との並列共振回路と、第２のコンデンサＣ２と第２のインダクタＬ２との直列共振回路とを設け、ＬＰＦ８２の減衰極を二つ形成する。これにより、高域通過フィルタＨＰＦ８３の通過帯域を広域にすることが可能となる。」と記載されている。
【先行技術文献】
【特許文献】
【０００３】
【特許文献１】特開２００３−２０９４５４号公報
【発明の概要】
【発明が解決しようとする課題】
【０００４】
携帯電話の新しい通信規格であるLTE-Advanced（Long Term Evolution-Advanced）では、より多くの情報の高速な通信を実現するために、複数のバンド（以下、Bandと記すことがある）を同時に使用するキャリアアグリゲーション（carrier aggregation）が採用される。例えば、二つのバンドを同時に使用するためには、これら二つのバンドを分離するためのダイプレクサが用いられる。
【０００５】
ダイプレクサにおいては、前記した特許文献１に示されるような、周波数特性が固定された固定型のダイプレクサが考案されている。
LTE-Advancedでは多数のバンドから二つのバンドが選択されて使用される。しかしながら、特許文献１の固定型のダイプレクサを用いた場合、使用されるバンドを限定せずにキャリアアグリゲーションを行なうことができないという問題がある。
【０００６】
例えば、Band２１（1448MHz〜1511MHz）とBand３（1710MHz〜1880MHz）を使用するセル（セル１）に位置する端末が、Band２１とBand１９（830MHz〜890MHz）を使用するセル（セル２）に移動する場合を考える。セル１内でBand２１とBand３のキャリアアグリゲーションを行なう場合は、ダイプレクサのＬＰＦ（Low Pass Filter）はBand２１の、ＨＰＦ（High Pass Filter）はBand３の周波数帯域に適合するように、固定された周波数特性を有する必要がある。この際、低周波側のBand２１と高周波側のBand３との間には、二つのバンドを分離するための阻止帯域が形成される。
【０００７】
ここで端末がセル２に移動すると、Band２１は引続きダイプレクサのＬＰＦを使用できるが、Band１９はダイプレクサのＨＰＦを使用することになる。即ち、周波数特性が固定されたＨＰＦを多数備えておき、使用するバンドに応じていずれかを選択して使用することになる。ところが、Band１９はBand２１よりも周波数帯域が低いため前記した阻止帯域は形成されず、ダイプレクサは前記したような二つのバンドを分離する機能を果たすことができない。このためセル２においては、Band１９とBand２１を使用したキャリアアグリゲーションを行なうことができないという問題がある。
【０００８】
これを避けるためには、ダイプレクサはＨＰＦとＬＰＦの双方において使用するバンドの数に応じたフィルタを備え、いずれか一つを選択して使用する方法があるが、構成部品の数が問題となる。
本発明の目的は前記した問題に鑑み、多数のバンドから選択された二つのバンドにおいてキャリアアグリゲーションを行う、移動通信端末用のチューナブルダイプレクサ、及び当該のチューナブルダイプレクサを用いた移動通信端末を提供することにある。
【課題を解決するための手段】
【０００９】
上記課題を改善するため、一例として特許請求の範囲に記載の構成を用いる。
【発明の効果】
【００１０】
本発明によれば、多数のバンドから選択された二つのバンドにおいてキャリアアグリゲーションを行う、移動通信端末用のチューナブルダイプレクサ、及び当該のチューナブルダイプレクサを用いた移動通信端末を提供することができるという効果がある。
【図面の簡単な説明】
【００１１】
【図１】実施例１におけるチューナブルダイプレクサの等価回路を示す回路図である。
【図２】実施例１のチューナブルダイプレクサのBand２１とBand３における周波数特性図である。
【図３】実施例１のチューナブルダイプレクサのBand２１とBand１９における周波数特性図である。
【図４】実施例２においてチューナブルダイプレクサをマルチバンド対応の移動通信端末に適用した一例を示すブロック図である。
【図５】実施例３においてチューナブルダイプレクサをマルチバンド対応の移動通信端末に適用した際の一例を示すブロック図である。
【図６】実施例４におけるチューナブルダイプレクサを示す分解斜視図である。
【発明を実施するための形態】
【００１２】
以下、本発明の実施の形態について、図面を参照しながら説明する。
【実施例１】
【００１３】
図１は、実施例１におけるチューナブルダイプレクサ１００の等価回路を示す回路図である。
本チューナブルダイプレクサ１００は、アンテナに接続される共通端子１と第１の入出力端子２と第２の入出力端子３の３つの端子を有する。共通端子１と第１の入出力端子２の間には、共通端子１から第１の入出力端子２に向かい、順に、インダクタ７、可変容量６、及びインダクタ４と可変容量５で構成される並列共振回路が接続される。
【００１４】
一方、共通端子１と第２の入出力端子３の間には、共通端子１から第２の入出力端子３に向かい、順に、可変容量８、及びインダクタ９と可変容量１０で構成される並列共振回路が接続される。共通端子１と第１の入出力端子２の間は、ハイパスフィルタ（ＨＰＦ）が構成されて仲介され、共通端子１と第２の入出力端子３の間は、ローパスフィルタ（ＬＰＦ）が構成されて仲介される。ハイパスフィルタの遮断周波数は、ローパスフィルタの遮断周波数よりも高く設定される。このため、第１の入出力端子２と第２の入出力端子３の間の伝達特性において、前記した二つの遮断周波数の間には阻止帯域が形成される。このため共通端子１に対して、高周波数側のBandの入出力端子２、低周波数側のBandの入出力端子３を有するダイプレクサが構成される。
【００１５】
ここで、可変容量５、６、８、１０の容量値を、入力端子２４１から供給される例えば制御電圧信号に応じて変化させることにより、減衰極と通過帯域の周波数を可変としたチューナブルダイプレクサ１００が構成される。ここでインダクタ４、７、９の定数は、それぞれ、略1.6nH、4.7nH、1.6nHであり、動作周波数において略８０のＱ値を有する巻き線コイルを使用しているが、積層コイル等、他の手段を用いることも可能である。可変容量５、６、８、１０は、ＭＥＭＳ(Micro Electro Mechanical Systems)可変容量コンデンサにより構成されているが、ＢＳＴ（(Ba,Sr)TiO3）を用いた可変容量等、他の手段を用いることも可能である。
【００１６】
図２は、実施例１のチューナブルダイプレクサ１００のBand２１とBand３における周波数特性図であり、入力端子２４１から供給される例えば制御電圧信号により、可変容量５、６、８、１０の定数を、それぞれ、略7.3pF、5.0pF、3.4pF、5.0pFとした場合の周波数特性を示す。
太線が共通端子１と第２の入出力端子３の間の周波数特性、細線が共通端子１と第１の入出力端子２間の周波数特性である。図２に示したように、Band２１（太線）で挿入損失約0.7dB、Band３（細線）で挿入損失約0.7dBと良好な特性を得ている。検討の結果、本検討のチューナブルダイプレクサの損失特性は1.5dB以内であれば、システムの要求に応えられることが分かっている。ここで、第２の入出力端子３はBand２１に対応する端子、第１の入出力端子２はBand３に対応する端子となる。
【００１７】
図３は、実施例１のチューナブルダイプレクサ１００のBand２１とBand１９における周波数特性図であり、入力端子２４１から供給される例えば制御電圧信号により、可変容量５、６、８、１０の定数を、それぞれ、略5.5pF、1.0pF、20pF、7.2pFとした場合の周波数特性を示す。
太線が共通端子１と第２の入出力端子３の間の周波数特性、細線が共通端子１と第１の入出力端子２間の周波数特性である。図３に示したように、Band１９（太線）で挿入損失約0.6dB、Band２１（細線）で挿入損失約0.7dBと良好な特性を得ている。ここで、第２の入出力端子３はBand１９に対応する端子、第１の入出力端子２はBand２１に対応する端子となる。
【００１８】
ここで、Band２１とBand３を使用するセル（セル１）に位置する端末が、Band２１とBand１９を使用するセル（セル２）に移動する場合を考える。この場合、本チューナブルダイプレクサ１００を使用すれば、端末は、セル１では、前記したように、可変容量５、６、８、１０の定数を、それぞれ、略7.3pF、5.0pF、3.4pF、5.0pFに設定し、第２の入出力端子３をBand２１の信号の入出力端子とし、第１の入出力端子２をBand３の信号の入出力端子とすることにより、Band２１とBand３のキャリアアグリゲーションを行なうことができる。さらに、セル２では、可変容量５、６、８、１０の定数を、それぞれ、略5.5pF、1.0pF、20pF、7.2pFに設定し、第２の入出力端子３をBand１９の信号の入出力端子とし、第１の入出力端子２をBand２１の信号の入出力端子とすることにより、Band２１とBand１９のキャリアアグリゲーションを行なうことができる。即ち、セル１に位置する端末がセル２に移動する場合でも、セル１とセル２の双方でキャリアアグリゲーションを行なうことが可能である。
【００１９】
ところが、従来の固定型のダイプレクサを用いた場合には、構成要素の数を考慮するとローパスフィルタ側、あるいは、ハイパスフィルタ側のどちらか一方が、Band２１に適した周波数特性に固定して使用される。このため前記したように、セル１でBand２１とBand３のキャリアアグリゲーションを行なう場合は、セル２では、同じ固定型のダイプレクサを用いてBand２１とBand１９のキャリアアグリゲーションを行なうことはできない。また、セル２でBand２１とBand１９のキャリアアグリゲーションを行なう場合は、セル１では、同じ固定型のダイプレクサを用いてBand２１とBand３のキャリアアグリゲーションを行なうことはできない。
【００２０】
なお、本実施例では、Band３、Band１９、Band２１を使用した例を示したが、シミュレーションによる検討の結果、LTE-Advancedで使用される最も高周波側の周波数帯であるBand７（2500MHz〜2690MHz）から最も低周波側の周波数帯であるBand１７（704MHz〜746MHz）までの周波数帯をカバーするためには、可変容量５、６、８、１０の可変範囲は、略1pF以上略40pF以下であり、インダクタ４、９の定数は、略1nH以上略2nH以下、インダクタ7の定数は、略2nH以上略8nH以下とすればよいことを確認した。可変容量５、６、８、１０の大きさと入力端子２４１から入力される制御電圧信号は、前記した容量の可変範囲を考慮して設定される。
【実施例２】
【００２１】
図４は、実施例２においてチューナブルダイプレクサ１００をマルチバンド対応の移動通信端末に適用した際の一例を示すブロック図である。
本ブロック図に示したように、本移動通信端末は、アンテナ１１、例えば実施例１で説明したチューナブルダイプレクサ１００、ＳＰＤＴ（Single-Pole/Double-Throw）スイッチ１２及び１３、Band３のデュプレクサ１４、Band２１のデュプレクサ１５Ａ及び１５ＢとBand１９のデュプレクサ１６を具備する。
【００２２】
アンテナ１１はチューナブルダイプレクサ１００の共通端子１に接続され、第１の入出力端子２はＳＰＤＴスイッチ１２の共通端子に、第２の入出力端子３はＳＰＤＴスイッチ１３の共通端子に接続される。ＳＰＤＴスイッチ１２は、Band３のデュプレクサ１４かBand２１のデュプレクサ１５Ａのどちらか一方を選択して第１の入出力端子２に接続する。ＳＰＤＴスイッチ１３は、Band２１のデュプレクサ１５ＢかBand１９のデュプレクサ１６のどちらか一方を選択して第２の入出力端子３に接続する。
【００２３】
各Bandの受信信号はＬＮＡ（Low Noise Amplifier）３０を、送信信号はＰＡ（Power Amplifier）３１を介して、後段の高周波信号処理を行うＲＦ−ＩＣ（Radio Frequency-Integrated Circuit）３２、さらにはベースバンド信号処理を行うＢＢ（Base Band）ブロック３３に接続される。なお、図の煩雑化をさけるため図４では、ＬＮＡ３０とＰＡ３１について、いずれか一つに符号を付している。
【００２４】
デュプレクサ１４、１５Ａ、１５Ｂ及び１６は、弾性表面波デバイス、あるいは、ＦＢＡＲ（Film Bulk Acoustic Resonator）デバイス等により構成される。ＳＰＤＴスイッチ１２及び１３はＣＭＯＳ（Complementary Metal Oxide Semiconductor）、ＳＯＳ（Silicon on Sapphire）、あるいは、ガリウムヒ素（GaAs）材料を使用したスイッチ等により構成される。
【００２５】
図２、図３を用いて説明したように、セル１の設定では、第２の入出力端子３をBand２１の信号の入出力端子とし、第１の入出力端子２をBand３の信号の入出力端子とする。ここで、ＳＰＤＴスイッチ１２をBand３のデュプレクサ１４の側に接続し、ＳＰＤＴスイッチ１３をBand２１のデュプレクサ１５Ｂの側に接続することにより、Band２１とBand３のキャリアアグリゲーションを行なうことが可能である。
【００２６】
一方、セル２の設定では、第２の入出力端子３をBand１９の信号の入出力端子とし、第１の入出力端子２をBand２１の信号の入出力端子とする。ここで、ＳＰＤＴスイッチ１２をBand２１のデュプレクサ１５Ａの側に接続し、ＳＰＤＴスイッチ１３をBand１９のデュプレクサ１６の側に接続することにより、Band２１とBand１９のキャリアアグリゲーションを行なうことが可能である。
【００２７】
なお、使用するバンドに応じたチューナブルダイプレクサ１００における周波数特性は、制御部３４が生成する例えば制御電圧信号に基づいて設定される。また、ＳＰＤＴスイッチ１２及び１３の切替えは、制御部３４が生成する例えば２値の制御信号により行われる。
以上説明したように、本構成の移動通信端末を用いることにより、Band２１とBand３のキャリアアグリゲーションとBand２１とBand１９のキャリアアグリゲーションの双方を可能にすることができる。
【実施例３】
【００２８】
図５は、実施例３においてチューナブルダイプレクサ１００をマルチバンド対応の移動通信端末に適用した際の一例を示すブロック図である。
本ブロック図に示したように、本移動通信端末は、アンテナ１１、チューナブルダイプレクサ１００、ＤＰ３Ｔ（Double-Pole/3-Throw）スイッチ１７、Band３のデュプレクサ１４、Band２１のデュプレクサ１５とBand１９のデュプレクサ１６を具備する。アンテナ１１はチューナブルダイプレクサ１００の共通端子１に接続され、第１の入出力端子２と第２の入出力端子３は各々ＤＰ３Ｔスイッチ１７の二つの共通端子のいずれかに接続される。ＤＰ３Ｔスイッチ１７は、Band３のデュプレクサ１４、Band２１のデュプレクサ１５、又はBand１９のデュプレクサ１６のうちから二つのデュプレクサを選択する。
【００２９】
各Bandの受信信号はＬＮＡ３０を、送信信号はＰＡ３１を介して、後段の高周波信号処理を行うＲＦ−ＩＣ３２、さらにはベースバンド信号処理を行うＢＢブロック３３に接続される。なお、図の煩雑化をさけるため図５では、ＬＮＡ３０とＰＡ３１について、いずれか一つに符号を付している。
デュプレクサ１４、１５Ａ、１５Ｂ及び１６は、弾性表面波デバイス、あるいは、ＦＢＡＲデバイス等により構成され、移動通信端末の送信信号と受信信号を分離する。ＳＰＤＴスイッチ１２及び１３はＣＭＯＳ、ＳＯＳ、あるいは、ガリウムヒ素材料を使用したスイッチ等により構成される。
【００３０】
図２、図３を用いて説明したように、セル１の設定では、第２の入出力端子３をBand２１の信号の入出力端子とし、第１の入出力端子２をBand３の信号の入出力端子とする。ここで、ＤＰ３Ｔスイッチ１７の第１の入出力端子２が接続された端子をBand３のデュプレクサ１４の側に接続し、第２の入出力端子３が接続された端子をBand２１のデュプレクサ１５の側に接続することにより、Band２１とBand３のキャリアアグリゲーションを行なうことが可能である。
【００３１】
一方、セル２の設定では、第２の入出力端子３をBand１９の信号の入出力端子とし、第１の入出力端子２をBand２１の信号の入出力端子とする。ここで、ＤＰ３Ｔスイッチ１７の第１の入出力端子２が接続された端子をBand２１のデュプレクサ１５の側に接続し、第２の入出力端子３が接続された端子をBand１９のデュプレクサ１６の側に接続することにより、Band２１とBand１９のキャリアアグリゲーションを行なうことが可能である。
【００３２】
なお、使用するバンドに応じたチューナブルダイプレクサ１００における周波数特性は、制御部３４が生成する例えば制御電圧信号に基づいて設定される。また、ＳＰＤＴスイッチ１７の切替えは、制御部３４が生成する例えば２値の制御信号により行われる。
本構成の移動通信端末を用いることにより、Band２１とBand３のキャリアアグリゲーションとBand２１とBand１９のキャリアアグリゲーションの双方を可能にすることができる。さらに、実施例２の移動通信端末に使用されるスイッチとデュプレクサを各１個低減することができ、小型化と低コスト化を実現することが可能である。
【００３３】
実施例２と実施例の３においては説明の都合上、デュプレクサ１４はBand３、デュプレクサ１５Ａと１５ＢはBand２１、デュプレクサ１６はBand１９に使用するデュプレクサとしたが、これは限定条件でないことは言うまでもない。各デュプレクサも使用するバンドに応じた周波数特性となるよう切替えられる。したがい、例えば図４で示したように各デュプレクサもまた、図示しない制御部から入力端子３５に供給される制御信号によって周波数特性が変化するチューナブルデュプレクサであっても良い。当該の制御部として前記した制御部３４を使用し、当該の制御信号として前記した制御電圧信号を使用することもできる。
【実施例４】
【００３４】
図６は、実施例４におけるチューナブルダイプレクサ１００を示す分解斜視図である。
図６において、誘電体層２０ａ、２０ｂ、２０ｃは積層されて基体となる誘電体基板２０を構成する。誘電体層２０ａには電極パターン２１、２２、２７、２８が、誘電体層２０ｂには電極パターン２３、２４が、誘電体層２０ｃには電極パターン２５、２６が配置されている。
【００３５】
電極パターン２１は第１の入出力端子２を有しており、電極パターン２１と電極パターン２７間には可変容量５が接続されている。電極パターン２７には可変容量６が接続され、可変容量６の他端は、インダクタ７が接続される。インダクタ７の他端は共通端子１に接続される。一方、電極パターン２２は第２の入出力端子３を有しており、電極パターン２２と電極パターン２８間には可変容量１０が接続されている。電極パターン２８には可変容量８が接続され、可変容量８の他端は共通端子１に接続される。共通端子１はアンテナ１１に接続されている。
【００３６】
電極パターン２１、電極パターン２３、及び電極パターン２５はビアホール導体Ｖ１で接続され、電極パターン２７と電極パターン２３はビアホール導体Ｖ２で接続される。電極パターン２２、電極パターン２４、及び電極パターン２６はビアホール導体Ｖ１で接続され、電極パターン２８と電極パターン２４はビアホール導体Ｖ２で接続される。本実施例において、ビアホール導体Ｖ１とビアホール導体Ｖ２で接続された電極パターン２１、２３、２５が全体としてインダクタ４を構成し、ビアホール導体Ｖ１とビアホール導体Ｖ２で接続された電極パターン２２、２４、２６が全体としてインダクタ９を構成するため、図１の等価回路と同一の回路を構成できる。
【００３７】
本実施例によれば、インダクタ４、及びインダクタ９を配線パターンで構成しており、巻き線コイルや積層コイル等を削除できるため、コストを低減することができる。
ここまで示した実施形態は一例であって、本発明を限定するものではない。本発明の趣旨に基づきながら異なる実施形態を考えられるが、いずれも本発明の範疇にある。
【００３８】
また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００３９】
なお、その他の例として、下記の構成が挙げられる。
【００４０】
例１として、複数のバンドを同時に使用して通信を行う移動通信端末で用いる前記複数のバンドにおける信号を分離するためのチューナブルダイプレクサであって、前記信号を送受信するためのアンテナが接続される共通端子と、前記複数のバンドから選択された第１のバンドの前記信号を入出力するための第１の入出力端子と、前記複数のバンドのうち前記第１のバンドよりも低い周波数帯域から選択された第２のバンドの前記信号を入出力するための第２の入出力端子と、前記共通端子と前記第１の入出力端子を仲介し、選択されたバンドに応じて周波数特性を変化するよう制御される高域通過フィルタと、前記共通端子と前記第２の入出力端子を仲介し、選択されたバンドに応じて周波数特性を変化するよう制御される低域通過フィルタとを有することを特徴とするチューナブルダイプレクサ、がある。
【００４１】
例２として、複数のバンドを同時に使用して通信を行う移動通信端末であって、例１に記載のチューナブルダイプレクサと、当該のチューナブルダイプレクサの共通端子に接続されたアンテナと、前記チューナブルダイプレクサの第１の入出力端子と接続された共通端子を第１の接点又は第２の接点のいずれかを選択して接続する第１のスイッチと、前記チューナブルダイプレクサの第２の入出力端子と接続された共通端子を第３の接点又は第４の接点のいずれかを選択して接続する第２のスイッチと、前記第１乃至第４の接点に各々接続され送信信号と受信信号を分離するための第１乃至第４のデュプレクサと、前記チューナブルダイプレクサの周波数特性を制御し、当該の周波数特性と前記第１乃至第４のデュプレクサの周波数特性に応じて前記第１のスイッチの接続と前記第２のスイッチの接続を制御する制御部とを有することを特徴とするチューナブルダイプレクサを用いた移動通信端末、がある。
【００４２】
例３として、複数のバンドを同時に使用して通信を行う移動通信端末であって、例１に記載のチューナブルダイプレクサと、当該のチューナブルダイプレクサの共通端子に接続されたアンテナと、前記チューナブルダイプレクサの第１の入出力端子と接続された第１の共通端子を第１の接点又は第２の接点のいずれかを選択して接続し、前記チューナブルダイプレクサの第２の入出力端子と接続された第２の共通端子を前記第２の接点又は第３の接点のいずれかを選択して接続するスイッチと、前記第１乃至第３の接点に各々接続され送信信号と受信信号を分離するための第１乃至第３のデュプレクサと、前記チューナブルダイプレクサの周波数特性を制御し、当該の周波数特性と前記第１乃至第３のデュプレクサの周波数特性に応じて前記スイッチの接続を制御する制御部とを有することを特徴とするチューナブルダイプレクサを用いた移動通信端末、がある。
【符号の説明】
【００４３】
１：共通端子、２：第１の入出力端子、３：第２の入出力端子、４，７，９：インダクタ、５，６，８，１０：可変容量、１１：アンテナ、１２，１３：ＳＰＤＴスイッチ、１４：Band３のデュプレクサ、１５：Band２１のデュプレクサ、１６：Band１９のデュプレクサ、１７：ＤＰ３Ｔスイッチ、２０：誘電体基板、２０ａ，２０ｂ，２０ｃ：誘電体層、２１，２２，２３，２４，２５，２６，２７，２８：電極パターン、３２：ＲＦ−ＩＣ、３３：ＢＢ、３４：制御部、Ｖ１，Ｖ２：ビアホール導体、１００：チューナブルダイプレクサ。
【図１】
2014225794.tif 000003
【図２】
2014225794.tif 000004
【図３】
2014225794.tif 000005
【図４】
2014225794.tif 000006
【図５】
2014225794.tif 000007
【図６】
2014225794.tif 000008